(57)【要約】  吸収性物品はω−６脂肪酸を含むローション組成物を含む。外陰皮膚の皮膚バリア機能を改善する方法であって、身体に接する面と衣類に接する面とを含む吸収性物品を外陰皮膚に接触させる手順を含み、ω−６脂肪酸が吸収性物品の身体に接する面に配置される。
2013515589.tif 000002
【特許請求の範囲】
【請求項１】
吸収性物品であって、
トップシートと、
バックシートと、
前記トップシートと前記バックシートとの間に配置される吸収性コアと、
前記吸収性物品の１つ以上の層に配置される（ａ）ω−６脂肪酸と（ｂ）担体とを含むローション組成物と、を含む吸収性物品。
【請求項２】
前記ローション組成物は、前記ω−６脂肪酸を含む油材料の少なくとも約３重量％の前記ω−６脂肪酸を含む油、好ましくは前記油材料の少なくとも約５重量％の前記ω−６脂肪酸、より好ましくは前記油材料の少なくとも約１０重量％の前記ω−６脂肪酸を含む油を含む、請求項１に記載の吸収性物品。
【請求項３】
前記油材料は、少なくとも約１０時間、好ましくは少なくとも約１４時間、より好ましくは少なくとも約１８時間の油安定性指標値を有する、請求項１又は２に記載の吸収性物品。
【請求項４】
前記油材料は、前記油材料の少なくとも約１０重量％のオレイン酸を更に含む、請求項１〜３のうちのいずれかに記載の吸収性物品。
【請求項５】
前記ローション組成物は、前記ローション組成物の約０．００２重量％〜約１２．５重量％の前記ω−６脂肪酸を含み、かつ前記ローション組成物の少なくとも約０．００７重量％〜約２０重量％のオレイン酸を更に含む、請求項１に記載の吸収性物品。
【請求項６】
前記油材料は、植物油とチャボトケイソウ種子油との混合物、植物油とアマナズナ種子油との混合物、植物油と月見草油との混合物、高オレイン酸キャノーラ油、及びこれらの混合物からなる群から選択される、請求項１〜５のうちのいずれかに記載の吸収性物品。
【請求項７】
前記ローション組成物は、α−トコフェロール、β−トコフェロール、γ−トコフェロール、δ−トコフェロール、α−トコトリエノール、γ−トコトリエノール、δ−トコトリエノール、セサモリン、セサミン、カテキン、及びこれらの混合物からなる群から選択される酸化防止剤を更に含む、請求項１〜６のうちのいずれかに記載の吸収性物品。
【請求項８】
前記ローション組成物は、セキショウ、ローマカミツレ、タラゴン、バジル、ベルガモット、ウッドカラミント、ヒメウイキョウ、シーダー材、カモミール、シナモン、シナモンバーク、ダイダイ、クローブ、サイプレス、ディル、ユーカリ、オイゲノール、フランキンセンス、ガランゴル、ゼラニウム、ジンジャー、ホップ、ジャスミン、ゲッケイジュ、ラベンダー、レモンバーム、レモングラス、レモン、リモネン、リナロール、酢酸リナリル、リッピアアルバ、マジョラム、メリッサ、ミルラ、ネロリ、ナツメグ、パシフローラ、パチョリ、ペパーミント、ピネン、ローズ、ローズウッド、ローズマリー、セージ、ビャクダン、スペアミント、スイートフェンネル、スイートオレンジ、タイム、バレリアン、イランイラン、及びこれらの混合物からなる群から選択される精油を更に含む、請求項１〜７のうちのいずれかに記載の吸収性物品。
【請求項９】
前記担体は、約４〜約３２個の炭素原子を有する石油系炭化水素、約１２〜約２４個の炭素原子を有する脂肪アルコール、ポリシロキサン化合物、脂肪酸エステル、アルキルエトキシレート、約１〜約６個の炭素原子を有する低級アルコール、低分子量グリコール及びポリオール、約１２〜約２８個の炭素原子をその脂肪鎖中に有する脂肪アルコールエーテル、ラノリン、ラノリン誘導体、アセトグリセリド及びＣ１２〜Ｃ２８脂肪酸のエトキシル化グリセリドを含むグリセリド及びその誘導体、並びにそれらの混合物、からなる群から選択される、請求項１〜８のうちのいずれかに記載の吸収性物品。
【請求項１０】
外陰皮膚にローション組成物を施す方法であって、請求項１〜９のうちのいずれか一項に記載の吸収性物品を前記外陰皮膚に接触させる手順を含む、方法。
【発明の詳細な説明】
【技術分野】
【０００１】
本発明は、ω−６脂肪酸を含むローション組成物を含む吸収性物品、及び外陰皮膚と吸収性物品との接触により外陰皮膚の皮膚バリア機能を改善する方法に関する。
【背景技術】
【０００２】
ローション付きトップシートを有するおむつ、トレーニングパンツ及び生理用品のような使い捨て吸収性物品は既知である。様々な種類のローションは、おむつかぶれの予防又は治療等の、様々な皮膚改善（skin benefit）をもたらすことも知られている。これらのローションは例えば、吸収性物品のトップシートに塗布することができ、使用中に着用者の皮膚に転写可能である。
【０００３】
吸収性製品のトップシートにローションを塗布することは、乳児のお尻により良好な皮膚の健康といった効果をもたらすことを目的とする、乳児用おむつを主に対象としてきた。女性用衛生製品を着用する際の成人女性の皮膚に関連した特異な問題については、ほとんど関心が向けられて来なかった。成人女性の外陰領域の皮膚は、乳児のお尻の皮膚（一般に臀部の皮膚）とは大きく異なっている。例えば、外陰領域は一般に体毛が繁っている。成人期発症のホルモン（つまり、エストロゲン、プロゲスチン、副腎皮質ステロイド）は、表皮及び真皮の素質、皮膚脂質、表皮の構造要素（つまり、ケラチン（kertains））を潤滑する、又は潤いを与える因子の生成に影響を与えることが知られている。外陰皮膚は相当により多くの皮膚が折り重なるために、他の種類の皮膚より相当に厚い。更に、女性の生理の開始に関連したホルモンの変化は皮膚の感度に影響を与え得る。これらの因子は皮膚バリア機能に寄与し、特に外陰皮膚の健康状態に寄与する。
【０００４】
月経周期と無関係に、外陰皮膚はまた、低質の皮膚バリア機能及び皮膚の高い代謝回転率を有し、参照基準である前腕中部の内側と比較して中程度の乾癬の皮膚病変又はアトピー性皮膚炎の症状に匹敵する。自然に湿度の高い環境である（衣服を着用していることで）にもかかわらず、女性用衛生製品の着用の副産物は、不快感、皮膚の擦傷、感受性の増大である。これらの感覚を補うため、及び外陰皮膚バリア機能及び皮膚の健康状態を改善させるために、女性は、シャワーを頻繁に浴びる、高価な生理用パッドを頻繁に取り替える、保湿剤及び類似の薬剤を塗布する等の習慣を取り入れる。外陰領域と接触する吸収性物品がこの不快感を軽減することができるならば、望ましいことである。外陰領域と接触する吸収性物品が環境的障害に対してより大きな抵抗力を与えることで外陰皮膚の健康状態及び皮膚バリア機能を改善できるならば、更に望ましいことである。
【発明の概要】
【発明が解決しようとする課題】
【０００５】
したがって、吸収性物品の着用に関連した不快感を軽減し、外陰皮膚の健康状態及び外陰皮膚の皮膚バリア機能を改善し得る吸収性物品に対する継続的な要求が存在する。
【課題を解決するための手段】
【０００６】
本発明は、ω−６脂肪酸を含むローション組成物を含む吸収性物品に関する。吸収性物品は典型的には、トップシート、バックシート、及びトップシートとバックシートとの間に配置される吸収性コア、並びに吸収性物品の１つ以上の層に配置されるローション組成物を含む。
【０００７】
一実施形態では、ローション組成物は、（ａ）油材料の少なくとも約３重量％のω−６脂肪酸を含み、少なくとも約１０時間の油安定指標を有する油材料と、（ｂ）担体と、を含む。
【０００８】
別の実施形態では、ローション組成物は、（ａ）ローション組成物の少なくとも約０．０００１５重量％のω−６脂肪酸と、（ｂ）ローション組成物の少なくとも約０．０００５重量％のオレイン酸と、（ｃ）担体と、を含む。
【０００９】
本発明は更に、外陰皮膚の皮膚バリア機能を改善する方法に関し、方法は外陰皮膚と吸収性物品の身体に接する面に配置されるω−６脂肪酸を含む吸収性物品との接触を含む。
【図面の簡単な説明】
【００１０】
【図１】トップシートと、バックシートと、ローション組成物が塗布された吸収性コアと、を含む吸収性物品の平面図。
【発明を実施するための形態】
【００１１】
本明細書で使用するとき、用語「吸収性物品」は排泄物、主に経血及び／又は尿を吸収し封じ込めるデバイスを意味する。用語「使い捨て」は、本明細書において、一回の使用後、洗濯する、ないしは別の方法で吸収性物品として修復する又は再利用することを意図しない、吸収性物品を表すために使用される。吸収性物品の実施例には、生理用ナプキン、パンティーライナー、陰唇間デバイス、痔用パッド、拭き取り用品、タンポン等などの女性用衛生衣類が挙げられる。
【００１２】
使い捨て吸収性物品、及びそれらのトップシート、バックシート、吸収性コアを包含する構成要素、並びにこれら構成要素のあらゆる個々の層は、身体面と衣類面とを有する。本明細書で使用するとき、「身体面」とは、着用者の身体に向けて又は身体に隣接して着用されることを意図する物品又は構成要素の表面を意味し、「衣類面」はその反対側であり、使い捨て吸収性物品が着用されたときに、着用者の下着に向けて又は下着に隣接して着用されることを意図する。
【００１３】
図１は、トップシート１４を含む身体に接する面１２と、トップシート１４に接合される液体不透過性バックシート１６と、吸収性コア１８と、を有する生理用ナプキン又はパンティーライナーであり得る吸収性物品１０を示す。吸収性物品１０は長手方向軸Ｌを有しており、ナプキンで一般的に見られる追加的特徴部（当該技術分野において既知の「ウィング」又は「フラップ」（図示せず）など）、及び／又は吸収性コア１８への流体輸送を促進するための流体獲得層を備えていてよい。同様に、吸収性物品のトップシートは当該技術分野において既知の様々な任意の特徴を有することができる。例えば、トップシート１４はエンボス加工された通路を内部に有し流体の流れを導くことができ、通路を通って開口を有し流体獲得を補助することができる。本発明の吸収性物品１０のトップシート１４は、トップシート上に配置されるローション組成物２２を有する。
【００１４】
トップシートは、着用者の皮膚及び体毛に順応して、ソフトな感触であり、かつ刺激がないのが好ましい。更にトップシートは、液体透過性であり、液体（例えば、経血及び／又は尿）がその厚みを通して容易に浸透可能なものである。好適なトップシートは、織布材料及び不織布材料（例えば、繊維の不織布ウェブ）、孔あき成形熱可塑性フィルム、孔あきプラスチックフィルム、及びハイドロフォーミングされた熱可塑性フィルム等の高分子材料、多孔質発泡体、網状発泡体、網状熱可塑性フィルム、並びに熱可塑性スクリム等の広範囲の材料から製造されてよい。好適な織布及び不織布材料は、天然繊維（例えば木材繊維若しくは綿繊維）、合成繊維（例えば、ポリエステル繊維、ポリプロピレン繊維、若しくはポリエチレン繊維などのポリマー繊維）、又は天然繊維と合成繊維との組み合わせからなるものであってよい。トップシートが、不織布ウェブを含む場合、ウェブは、多くの既知の手法により製造され得る。例えば、ウェブが、スパンボンドされるか、毛羽立てられるか、湿式載置されるか、メルトブローされるか、水流交絡されるか、上記の組み合わせ等を施されてもよい。
【００１５】
バックシートは、液体（例えば、経血及び／又は尿）に不透過性であり、好ましくは薄いプラスチックフィルムから製造されるが、その他の可撓性の液体不透過性材料を使用することもできる。本明細書で使用するとき、用語「可撓性」は、順応性があり、人間の体の一般的な形状及び輪郭に容易に適合する材料を意味する。バックシートは、吸収性コアに吸収、保持された排泄物によってベッドシーツ、パンツ、パジャマ及び下着といった吸収性用品に接触する用品が汚れることを防止するものである。したがって、バックシートは、織布又は不織布材料、高分子フィルム、例えばポリエチレン若しくはポリプロピレンの熱可塑性フィルム、又は複合材料、例えばフィルムコーティングされた不織布材料を含んでもよい。一実施形態では、バックシートは米国特許第６，６２３，４６４号で説明されるような、通気性バックシートであってよい。
【００１６】
バックシート及びトップシートは、それぞれ、吸収性コアの衣類面及び身体面に隣接して位置付けられる。吸収性コアは、当該技術分野において周知のもの等、取り付け手段（図１に図示せず）として知られるあらゆる方法で、トップシート、バックシート、又はその両方と接合され得る。しかしながら、本発明の実施形態は、吸収性コア全体の一部が、トップシート、バックシート、又はその両方に取り付けられていない場合も想定する。
【００１７】
一実施形態では、吸収性物品１０のトップシートは疎水性材料で製造される。したがって、トップシートが不織布の場合、構成繊維は好ましくは疎水性である。繊維のポリマーから形成されるフィルムシートが６０°を超える、より好ましくは７５°、及び更により好ましくは約９０°を超える水との接触角を示す場合には、繊維は疎水性であると考えられる。疎水性の尺度としての接触角は当該技術分野において周知であり、接触角を測定する方法も同様に周知である。周知のように、約９０°を超える接触角は疎水性と考えられ、９０°未満の接触角は親水性と考えられる。しかしながら本明細書で使用する時は、６０°以上の接触角は疎水性と考える。
【００１８】
別の実施形態では、吸収性物品１０のトップシートは親水性材料で製造される。
【００１９】
特に女性用衛生目的で、外陰皮膚領域における吸収性物品の使用は、炎症、擦傷等を含む様々な皮膚障害につながり得る。吸収性物品の使用とは無関係に、外陰皮膚は、特に前腕皮膚等の身体の他の領域の皮膚と比較して、ω−６脂肪酸含有量の欠乏が見られる傾向があることが発見された。このω−６脂肪酸の欠乏は、皮膚バリア及び外陰皮膚の健康状態の低下を生じるおそれがある。したがって、外陰皮膚のω−６脂肪酸含有量を増加させることは外陰皮膚の健康状態及び外陰皮膚の皮膚バリア機能の改善に役立ち得る。更に、女性用衛生目的の吸収性物品の使用に通常関連する皮膚障害の可能性を低減し得る。
【００２０】
この問題に対処するために、本発明の吸収性物品はω−６脂肪酸を含むローション組成物を更に含む。ローション組成物は典型的には、ローション組成物中少なくとも約０．０００１５重量％の、約０．０００１５重量％〜約１０重量％の、約０．００１５重量％〜約７．５重量％の、又は約０．００３重量％〜約５重量％のω−６脂肪酸を含む。好ましくは、ローション組成物のω−６脂肪酸は油のトリアシルグリセロール構成成分にエステル化されている。
【００２１】
ω−６脂肪酸は典型的には油材料中に含有される。したがって、一実施形態では、ローション組成物はω−６脂肪酸を含む油材料を含む。ローション組成物は典型的には、ローション組成物中約０．００５重量％〜約２０重量％の、約０．０５重量％〜約１５重量％の、又は約０．１重量％〜約１０重量％の油材料を含む。油材料は典型的には、油材料中少なくとも３重量％の、約３重量％〜約５０重量％の、又は約５重量％〜約４０重量％のω−６脂肪酸を含む。
【００２２】
ω脂肪酸等の不飽和脂肪酸は、不安定になりやすく容易に酸化しやすい。酸化は、温度、光、空気、酸素、湿気、及び金属を含む複数の源によって促進され得る。例えば、Ｂｅｌｉｔｚ  Ｈ−Ｄ、Ｇｒｏｓｃｈ  Ｗ及びＳｃｈｉｅｂｅｒｌｅ  Ｐ著のＬｉｐｉｄｓ  Ｆｏｏｄ  Ｃｈｅｍｉｓｔｒｙ  ３ｒｄ  ｅｄ．Ｓｐｒｉｎｇｅｒ−Ｖｅｒｌａｇ，Ｈｅｉｄｅｌｂｅｒｇ，２００４，ｐ．１５７〜２４２を参照されたい。事実、製品製造に関する一般的源は不安定性を促進し得る。例えば、ローション組成物の成分を溶解し混合するには高温（ローション組成物の成分の融点を超える温度、例えば、７０℃超まで）を必要とし得る。半固体ローション組成物を溶解しその均質性を保つために、ローション組成物を加えるタンクを攪拌しながら高温（例えば、６０℃を超える、好ましくは７０℃を超える）まで加熱することは一般的である。更に、ローション組成物は、相当の時間（例えば、２４時間を超える）タンク内に留まり得る。不安定性の別の源は最終製品の棚での保存であり得る。製品が少なくとも１年間（店舗で、又は家庭で）棚に留まるのは珍しくはなく、地理的場所によっては保存温度が４０℃を超える場合がある。不安定性の別の源は、水系又はグリコール系のローション組成物が原因の場合がある。総じて、これらの因子は酸化及び活性酸素フリーラジカル又は活性酸素の生成につながり得る。これは、変色等の製品変質（つまり、黄変）及び／又は敗油臭につながり得る。皮膚と接触するとき、活性酸素は皮膚バリア機能を損なう可能性がある。
【００２３】
酸化安定性をモニタリングする一般基準は、経時的なヒドロペルオキシドの発生（過酸化物価又はＰＶ）である。酸化安定性はまた、試料を高温で曝気する場合の、二次的酸化生成物を得るのに必要な時間で表わすことができる。酸化安定性の好適な基準は油安定指標（本明細書では「ＯＳＩ」を指する）と呼ばれる。油材料のＯＳＩはＡｍｅｒｉｃａｎ  Ｏｉｌ  Ｃｈｅｍｉｃａｌ  ＳｏｃｉｅｔｙのＯｉｌ  Ｓｔａｂｉｌｉｔｙ  Ｉｎｄｅｘ  Ｍｅｔｈｏｄ（ＡＯＣＳ  Ｏｆｆｉｃｉａｌ  Ｍｅｔｈｏｄ  Ｃｄ  １２ｂ−９２）によって測定できる。
【００２４】
一実施形態では、本発明の油材料は、少なくとも約１０時間、少なくとも約１４時間、又は少なくとも約１８時間の油安定指標「（ＯＳＩ」）を有するように選択される。
【００２５】
比較的高濃度のオレイン酸を含む油材料は、本発明の関連においてより安定する傾向があると考えられる。一実施形態では、本発明の油材料は、油材料中少なくとも約１０重量％の、約１０重量％〜約８０重量％の、又は約１５重量％〜約７０重量％のオレイン酸を含む。一実施形態では、ローション組成物は、ローション組成物中約０．０００５重量％〜約１６重量％の、約０．００５重量％〜約１２重量％の、又は約０．０１重量％〜約８重量％のオレイン酸を含む。
【００２６】
比較的低濃度のリノレン酸（ω−３脂肪酸）を含む油材料は、本発明の関連においてより安定する傾向があると考えられる。一実施形態では、本発明の油材料は、油材料中約１０重量％以下の、約１０重量％〜約５重量％の、又は約５重量％〜約０重量％のリノレン酸を含む。一実施形態では、ローション組成物は、ローション組成物中約２重量％〜約０重量％の、約１重量％〜約０重量％の、又は約０．５重量％〜約０重量％のリノレン酸を含む。
【００２７】
本明細書で説明する所望の特性を示す好適な油材料の非限定的な実施例には、オレイン酸キャノーラ油（Ｂｒａｓｓｉｃａ  ｃａｍｐｅｓｔｒｉｓ、Ｂ．ｎａｐｕｓ，Ｂ．ｒａｐａ；７０％を超えるオレイン酸含有量に特徴を有するもの、例えば、高オレイン酸キャノーラ油、超高オレイン酸キャノーラ油、又は部分水素添加キャノーラ油）、マルーラカーネル油（Ｓｃｌｅｒｏｃａｒｙａ  ｂｉｒｒｅａ）、パーム油（Ｅｌａｅｉｓ  Ｇｕｉｎｅｅｎｓｉｓ  Ｏｉｌ）、パームオレイン、パームステアリン、パームスーパーオレイン、ペカン油、パンプキン種子油、オレイン酸サフラワー油（Ｃａｒｔｈａｍｕｓ  Ｔｉｎｃｔｏｒｉｕｓ、約３０％を超えるオレイン酸の含有量及び約５０％未満のω−６脂肪酸の含有量に特徴を有するもの、例えば、高オレイン酸サフラワー油）、ゴマ油（Ｓｅｓａｍｕｍ  ｉｎｄｉｃｕｍ、Ｓ．ｏｒｅｉｎｔａｌｅ）、大豆油（Ｇｌｙｃｉｎｅ  ｍａｘ、例えば、高オレイン酸大豆油、低リノレン酸大豆油、部分水素添加大豆油）、オレイン酸ヒマワリ油（Ｈｅｌｉａｎｔｈｕｓ  ａｎｎｕｓ、約４０％を超えるオレイン酸の含有量に特徴を有するもの、例えば、中オレイン酸ヒマワリ油又は高オレイン酸ヒマワリ油）、及びこれらの混合物が挙げられる。オレイン酸キャノーラ油、パーム油、ゴマ油、高オレイン酸サフラワー油、高オレイン酸大豆油、中オレイン酸ヒマワリ油、及び高オレイン酸ヒマワリ油は一般的な栽培作物由来の油であり、非遺伝子組み換え生物（非ＧＭＯ）由来であってもよい。
【００２８】
油材料の非限定的な実施例は、Ｃａｒｇｉｌｌの部分水素添加大豆油（すなわち、Ｐｒｅｆｅｒｅｎｃｅ（登録商標）１１０Ｗ  Ｓｏｙｂｅａｎ  Ｏｉｌ又はＰｒｅｆｅｒｅｎｃｅ（登録商標）３００  Ｈｉ  Ｓｔａｂｉｌｉｔｙ  Ｓｏｙｂｅａｎ  Ｏｉｌ）、中オレイン酸ヒマワリ油（すなわち、ＮｕＳｕｎ（登録商標）Ｍｉｄ−Ｏｌｅｉｃ  Ｓｕｎｆｌｏｗｅｒ  Ｏｉｌ）、高オレイン酸ヒマワリ油（すなわち、Ｃｌｅａｒ  Ｖａｌｌｅｙ（登録商標）Ｈｉｇｈ  Ｏｌｅｉｃ  Ｓｕｎｆｌｏｗｅｒ  Ｏｉｌ）、高オレイン酸キャノーラ油、超高オレイン酸キャノーラ油、及び部分水素添加低エルカ酸菜種油（すなわち、Ｃｌｅａｒ  Ｖａｌｌｅｙ（登録商標）６５  Ｈｉｇｈ  Ｏｌｅｉｃ  Ｃａｎｏｌａ  Ｏｉｌ及びＣｌｅａｒ  Ｖａｌｌｅｙ（登録商標）７５  Ｈｉｇｈ  Ｏｌｅｉｃ  Ｃａｎｏｌａ  Ｏｉｌ）、Ｌａｍｂｅｒｔ  Ｔｅｃｈｎｏｌｏｇｙの高オレイン酸キャノーラ油、（すなわち、Ｏｌｅｏｃａｌ  Ｃ１０４）、Ａｒｃｈ  Ｐｅｒｓｏｎａｌ  Ｃａｒｅのマルーラカーネル油、Ｐｉｏｎｅｅｒの高オレイン酸大豆油（すなわち、Ｐｌｅｎｉｓｈ（登録商標））、Ａｓｏｙｉａの低リノレン酸大豆油（すなわち、Ｕｌｔｒａ  Ｌｏｗ  Ｌｉｎｏｌｅｎｉｃ  Ｓｏｙｂｅａｎ  Ｏｉｌ（登録商標））、及びＤｉｐａｓａ，Ｉｎｃ．の精製ゴマ油を含む多くの供給元から市販されている。
【００２９】
油材料の等級は、本明細書で説明する油材料の所望の特性を達成することにおいても重要であり得ることに注目すべきである。例えば、同じ油（例えば、ゴマ油）は油材料の源次第で広範囲のＯＳＩ値を示し得るので、油材料の源は重要であり得る。
【００３０】
油材料は上述の油材料及び追加の油材料を含む、油の配合物を更に含み得る。更なる好適な油材料には、アサイー果実油、アーモンド油、アボカド油、ブナノキ油、ブラジルナッツ油、アマナズナ油（Ｂｒａｓｓｉｃａｃｅａｅ科、例えば、Ｃａｍｅｌｉｎａ  Ｓａｔｉｖａ、Ｇｏｌｄ  ｏｆ  Ｐｌｅａｓｕｒｅ、Ｆａｌｓｅ  Ｆｌａｘ等）、ツバキ種油、キャノーラ油、ニンジン種油、カシューナッツ油、ひまし油、さくらんぼ核油、チア油、コーン油、綿実油、水素添加綿実油、月見草油、ハシバミ（ヘーゼルナッツ）油、グレープシードオイル、ヘンプオイル、ヒッコリー実油、ホホバ油、ククイ油、ラノリン、オリーブ油（Ｏｌｅａ  ｅｕｒｏｐａｅａ）、マカダミア油、モリンガ油（maringa oil）、メドウフォーム油、インドセンダン油、パーム核油、オリーブ油、トケイソウ油（Ｐａｓｓｉｆｌｏｒａ科、Ｐａｓｓｉｆｌｏｒａ  Ｉｎｃａｒｎａｔａ）、ピーナッツオイル、モモ核油、ピスタチオナッツ油、菜種油、米糠油、ローズヒップ油、サフラワー油、サトウモロコシ油、大豆油、ヒマワリ種子油、トール油、植物油、植物スクワレン、クルミ油、小麦粉芽油、及びこれらの混合物が挙げられる。本発明の油材料は、アマナズナ種子油、オレイン酸キャノーラ油、月見草油、マルーラカーネル油、パーム油、パームオレイン、パームステアリン、パームスーパーオレイン、チャボトケイソウ種子油、ペカン油、パンプキン種子油、オレイン酸サフラワー油、ゴマ油、大豆油、オレイン酸ヒマワリ油、植物油、及びこれらの混合物からなる群から選択できる。
【００３１】
本発明の好適な油材料には、植物油とアマナズナ種子油との混合物（Ａａｒｈｕｓ  Ｋａｒｌｓｈａｍｎ  Ｓｗｅｄｅｎ  ＡＢからＬｉｐｅｘ（登録商標）Ｏｍｅｇａ  ３／６として市販）、植物油とチャボトケイソウ種子油との混合物（Ａａｒｈｕｓ  Ｋａｒｌｓｈａｍｎ  Ｓｗｅｄｅｎ  ＡＢからＬｉｐｅｘ（登録商標）Ｏｍｅｇａ  Ｐａｓｓｉｆｌｏｒａとして市販）、植物油と月見草油との混合物（Ａａｒｈｕｓ  Ｋａｒｌｓｈａｍｎ  Ｓｗｅｄｅｎ  ＡＢからＬｉｐｅｘ  Ｏｍｅｇａ  ＥＰＯとして市販）、高オレイン酸キャノーラ油、（ＣａｒｇｉｌｌからＣｌｅａｒ  Ｖａｌｌｅｙ（登録商標）７５  Ｈｉｇｈ  Ｏｌｅｉｃ  Ｃａｎｏｌａ  Ｏｉｌとして市販）、及びこれらの混合物が挙げられる。
【００３２】
油材料の安定性を更に強化するために、特定の酸化防止剤を、特定の油材料又はローション組成物に添加できる。一実施形態では、油材料は、油材料中約０．００５重量％〜約１重量％の、約０．０１重量％〜約０．５重量％の、又は約０．０２重量％〜約０．２重量％の酸化防止剤を含む。一実施形態では、ローション組成物はローション組成物中約０．０００５重量％〜約１重量％の、約０．００１重量％〜約０．７５重量％の、又は約０．００２重量％〜約０．５重量％の酸化防止剤を含む。
【００３３】
酸化的に不安定な油を酸化防止剤で安定させる試みがなされ、予期しない結果を生じた。例えば、Ｍｅｒｒｉｌｌ  ＬＩ、Ｐｉｋｅ  ＯＡ、Ｏｇｄｅｎ  ＬＶ、Ｏｘｉｄａｔｉｖｅ  ｓｔａｂｉｌｉｔｙ  ｏｆ  ｃｏｎｖｅｎｔｉｏｎａｌ  ａｎｄ  ｈｉｇｈ−ｏｌｅｉｃ  ｖｅｇｅｔａｂｌｅ  ｏｉｌｓ  ｗｉｔｈ  ａｄｄｅｄ  ａｎｔｉ−ｏｘｉｄａｎｔｓ，Ｊ  Ａｍ  Ｏｉｌ  Ｃｈｅｍ  Ｓｏｃ  ８５：７７１〜７７６，２００８、Ｃｈｕ  Ｙ−Ｈ及びＨｓｕ  Ｈ−Ｆ、Ｅｆｆｅｃｔ  ｏｆ  ａｎｔｉｏｘｉｄａｎｔｓ  ｏｎ  ｐｅａｎｕｔ  ｏｉｌ  ｓｔａｂｉｌｉｔｙ，Ｆｏｏｄ  Ｃｈｅｍｉｓｔｒｙ  ６６：２９〜３４，１９９９、及びＩｓｂｅｌｌ  ＴＡ、Ａｂｂｏｔｔ  ＴＰ及びＣａｒｌｓｏｎ  ＫＤ、Ｏｘｉｄａｔｉｖｅ  ｓｔａｂｉｌｉｔｙ  ｉｎｄｅｘ  ｏｆ  ｖｅｇｅｔａｂｌｅ  ｏｉｌｓ  ｉｎ  ｂｉｎａｒｙ（ｂｉａｎａｒｙ）ｍｉｘｔｕｒｅ  ｗｉｔｈ  ｍｅａｄｏｗｆｏａｍ  ｏｉｌ，Ｉｎｄ  Ｃｒｏｐｓ  Ｐｒｏｄｕｃｔｓ  ９：１１５〜１２３，１９９８を参照されたい。フェノール類のｔｅｒｔ−ブチルヒドロキノン（ＴＢＨＱ）、ブチル化ヒドロキシトルエン（ＢＨＴ）、又はブチル化ヒドロキシアニソール（ＢＨＡ）等の他の酸化防止剤は油を安定させるとの報告があるが、これらは皮膚感作性物質であることが分かっており、皮膚と直接接触する吸収性製品では価値が限られている。更に、不安定な油と安定した油を混合することは必ずしも許容できる油の安定性特性に結びつかないが、望ましくない結果は望ましい濃度未満の望ましいω−６脂肪酸の稀釈になりえる。
【００３４】
好適な酸化防止剤の非限定的な実施例としては、α−トコフェロール、β−トコフェロール、γ−トコフェロール、δ−トコフェロール、トコトリエノール、ローズマリー、セサモール、セサモリン、セサミン、カテキン、及びこれらの混合物が挙げられる。
【００３５】
本発明のローション組成物は、担体を更に含む。担体は、本発明のω−６脂肪酸を吸収性物品の着用者の皮膚に供給するのに役立ち得る。担体を、個々の担体として、又は担体成分の組み合わせとして、組成物中に含むことができる。担体は液体、固体、若しくは半固体担体物質又はこれらの物質の組み合わせであることができ、得られる担体系のために選択された加工温度及び本明細書のローション組成物を配合する際に担体と冷却剤を組み合わせるための加工温度において、好ましくは、均一な混合物又は溶液を形成する。担体系の処理温度は、典型的には約６０℃〜約９０℃、より典型的には約７０℃〜約８５℃、更により典型的には約６５℃〜約８０℃の範囲である。
【００３６】
本発明のローション組成物はローション組成物の約６０重量％〜約９９．９重量％、好ましくは約７０重量％〜約９８重量％、より好ましくは約８０重量％〜約９７重量％の範囲の担体総濃度で、担体を含むことができる。好適な担体化合物としては、約４〜約３２個の炭素原子を有する石油系炭化水素、約１２〜約２４個の炭素原子を有する脂肪アルコール、ポリシロキサン化合物、脂肪酸エステル、アルキルエトキシレート、約１〜約６個の炭素原子を有する低級アルコール、低分子量グリコール及びポリオール、約１２〜約２８個の炭素原子をその脂肪鎖中に有する脂肪アルコールエーテル、ラノリン及びその誘導体、アセトグリセリド及びＣ１２〜Ｃ２８脂肪酸のエトキシル化グリセリドを包含するグリセリド及びその誘導体、並びにこれらの混合物が挙げられる。その他に又は組み合わせて、担体はまたポリシロキサン化合物から構成されてもよく、非限定的な実施例としては、ジメチコン（１ないし１００，０００，０００センチストーク）、シクロメチコン、アルキル化シリコーン（ヘアコンディショニング剤）、シリコーンゴム、シリコーンゲル、シリコーンワックス、シリコーンのコポリマー（ビニルジメチコンポリマー、フェニルビニルジメチコンポリマー、アルキル化シリコーンポリマー、ポリエチレンオキシド／シリコーンコポリマー、ポリエチレンオキシド／アルキルシリコーンコポリマー）及びこれらの混合物が挙げられる。
【００３７】
約４個〜約３２個の炭素原子を有する好適な石油系炭化水素の非限定的な実施例としては、鉱油、ペテロラタム、イソパラフィン、様々なその他の分枝鎖炭化水素、及びこれらの組み合わせが挙げられる。鉱油は「流動ペテロラタム」としても既知であり、通常は約１６〜約２０個の炭素原子を有する炭化水素のそれほど粘稠ではない混合物を指す。またペテロラタムは、「ミネラルワックス」、「石油ゼリー」、及び「ミネラルゼリー」としても既知であり、普通は約１６〜約３２個の炭素原子を有する炭化水素のより粘稠な混合物を指す。ペテロラタムの市販例としては、Ｐｒｏｔｏｐｅｔ（登録商標）１Ｓとして販売されているペテロラタムが挙げられ、これはＳｏｎｎｅｂｏｒｎ  Ｃｏｒｐｏｒａｔｉｏｎ（所在地Ｍａｈｗａｈ，Ｎｅｗ  Ｊｅｒｓｅｙ）より入手可能である。
【００３８】
本明細書において好適なその他の担体には、特に植物又は動物起源の、天然油又は天然油脂などの油又は油脂、あるいは天然油又は油脂誘導体、を挙げることができる。非限定的な実施例としては、アンズ油、ババス油、ヒマシ油、ココヤシ油、タラ肝油、水素添加コーン油、水素添加綿実油、ヘーゼルナッツ油、ホホバ油、マカダミア油、メドウフォーム種子油、ミンク油、マリンガ油、マルーラ油、モルティエレラ油、パーム核油、水素添加ピーナッツオイル、硬化菜種油、ローズヒップ油、水素添加サフラワー油、水素添加大豆油、水素添加ヒマワリ油、水素添加クルミ油、水素添加小麦粉芽油、又はこれらの硬化誘導体が挙げられる。
【００３９】
本明細書の担体として好適な油脂及び油の非限定的な他の実施例としては、バター、Ｃ１２〜Ｃ１８酸性トリグリセリド、カプリル酸／カプリン酸／ラウリン酸トリグリセリド、カプリル酸／カプリン酸／リノール酸トリグリセリド、カプリル酸／カプリン酸／ステアリントリグリセリド、カプリル酸／カプリン酸トリグリセリド、カカオバター、Ｃ１０〜Ｃ１８トリグリセリド、卵油、エポキシ化大豆油、グリセリルトリアセチルヒドロキシステアレート、グリセリルトリアセチルリシノレエート、グリコスフィンゴリピド、硬化ヒマシ油、硬化ヒマシ油ラウレート、水素添加ココヤシ油、水素添加Ｃ１２〜Ｃ１８トリグリセリド、水素添加魚油、水素添加ラード、水素添加メンハーデン油、水素添加ミンク油、水素添加オレンジラフィー油、水素添加サメ肝油、水素添加タロー、硬化植物油、ラノリン及びラノリン誘導体、ラノリンアルコール、ラード、ラウリン酸／パルミチン酸／オレイン酸トリグリセリド、レスクエレラ油、マレアート化大豆油、牛脚油、オレイン酸／リノール酸トリグリセリド、オレイン酸／パルミチン酸／ラウリン酸／ミリスチン酸／リノール酸トリグリセリド、オレオステアリン、オリーブ外皮油、大網脂質、ペンガワージャンビ（pengawar djambi）油、ペンタデスマバター（pentadesma butter）、リン脂質、シアバター、タロー、トリベヘニン、トリカプリン、トリカプリリン、トリヘプタノイン、トリヒドロキシメトキシステアリン（trihydroxymethoxystearin）、トリヒドロキシステアリン、トリイソノナノイン、トリイソステアリン、トリラウリン、トリリノレイン、トリリノレニン、トリミリスチン、トリオクタノイン、トリオレイン、トリパルミチン、トリセバシン、トリステアリン、トリウンデカノイン等、及びこれらの混合物が挙げられる。
【００４０】
その他の好適な担体には、飽和又は不飽和、直鎖状又は分岐鎖状、置換又は非置換の脂肪酸又は脂肪酸混合物から誘導されるもののような、モノ−又はジ−グリセリドが挙げられる。モノ−又はジグリセリドの例には、モノ−又はジ−Ｃ１２〜２４脂肪酸グリセリド、特にモノ−又はジ−Ｃ１６〜２０脂肪酸グリセリド、例えば、モノステアリン酸グリセリン、ジステアリン酸グリセリルが挙げられる。
【００４１】
担体はまた、直鎖状のＣ６〜Ｃ２２−脂肪酸と分枝状アルコールとのエステルを含み得る。
【００４２】
本発明の担体はまた、米国特許第６５３４０７４Ｂ号で説明されるステロール、植物ステロール、ステロール誘導体を含み得る。
【００４３】
約１２〜約２４個の炭素原子を有する好適な脂肪アルコールの非限定的な実施例としては、飽和非置換の一価アルコール又はこれらの組み合わせが挙げられ、その融点は約１１０℃未満、好ましくは約４５℃〜約１１０℃である。本発明のローション組成物に用いる脂肪アルコール担体の具体的な実施例としては、ステアリルアルコール、セテアリルアルコール、ベヘニルアルコール、アラキジルアルコール、リグノセリル（lignocaryl）アルコール及びこれらの組み合わせが挙げられるが、これらに限定されない。市販のセテアリルアルコールの実施例はＳｔｅｎｏｌ  １８２２であり、ベヘニルアルコールはＬａｎｅｔｔｅ  ２２であり、これらは両方Ｃｏｇｎｉｓ  Ｃｏｒｐｏｒａｔｉｏｎ（所在地Ｃｉｎｃｉｎｎａｔｉ，Ｏｈｉｏ）より入手可能である。
【００４４】
好適な脂肪酸エステルの非限定的な実施例としては、Ｃ１２〜Ｃ２８脂肪酸及び短鎖（Ｃ１〜Ｃ８、好ましくはＣ１〜Ｃ３）一価アルコールの混合物、好ましくはＣ１６〜Ｃ２４飽和脂肪酸及び短鎖（Ｃ１〜Ｃ８、好ましくはＣ１〜Ｃ３）一価アルコールの混合物由来の脂肪酸エステルが挙げられる。好適な脂肪酸エステルはまた、より長鎖の脂肪アルコール（Ｃ１２〜Ｃ２８、好ましくはＣ１２〜Ｃ１６）及び乳酸のような、より短鎖の脂肪酸のエステル由来であることができ、その具体的な実施例としては、ラウリルラクテート及びセチルラクテートが挙げられる。好適な脂肪酸エステルの代表的な実施例には、メチルパルミテート、メチルステアレート、イソプロピルラウレート、イソプロピルミリステート、イソプロピルパルミテート、エチルヘキシルパルミテート、ステアリルステアレート、パルミチルステアレート、ステアリルベヘネート、セチルステアレート、セチルベヘネート、セチルパルミテート、セテアリルベヘネート、ベヘニルベヘネート、ステアリルヘプタノエート、ステアリルオクタノエート、ミリスチルミリステート、ミリスチルイソステアレート、ミリスチルオレエート、セチルイソステアレート、セチルオレエート、ステアリルイソステアレート、ステアリルオレエート、イソステアリルミリステート、イソステアリルパルミテート、イソステアリルステアレート、イソステアリルイソステアレート、イソステアリルオレエート、イソステアリルベヘネート、イソステアリルオレエート、オレイルミリステート、オレイルパルミテート、オレイルステアレート、オレイルイソステアレート、オレイルオレエート、オレイルベヘネート、オレイルエルケート、ベヘニルイソステアレート、ベヘニルオレエート、エルシルイソステアレート、及びこれらの混合物が挙げられる。
【００４５】
好適なアルキルエトキシレートの非限定的な実施例としては、約２〜約３０の平均エトキシ化度を有するＣ１２〜Ｃ２２の脂肪アルコールエトキシレートが挙げられる。約１〜約６個の炭素原子を有する好適な低級アルコールの非限定的な実施例としては、イソプロパノール、ブタンジオール、１，２，４−ブタントリオール、１，２ヘキサンジオール、エーテルプロパノール、及びこれらの混合物が挙げられる。好適な低分子量グリコール及びポリオールの非限定的な例としては、エチレングリコール、ポリエチレングリコール（例えば、分子量２００〜６００ｇ／モル）、ブチレングリコール、プロピレングリコール、ポリプロピレングリコール及びこれらの混合物が挙げられる。好適な炭化水素、ポリシロキサン化合物、及び脂肪アルコールエトキシレートを包含するキャリア成分のより詳細な記載は、１９９７年７月１日にＲｏｅらに発行された、「Ｄｉａｐｅｒ  Ｈａｖｉｎｇ  Ａ  Ｌｏｔｉｏｎｅｄ  Ｔｏｐｓｈｅｅｔ」という題名の米国特許第５，６４３，５８８号に見ることができる。
【００４６】
好適な担体はワックスを更に包含する。明細書で使用するとき、用語「ワックス」とは、ワックス状の構成成分を有し、融点又は融点範囲が周囲温度よりも高い、特に２５℃よりも高い油溶性物質を指す。ワックスは固体から半固体（クリーム状）の稠度を有し、結晶性であってもなくてもよく、液化点よりも少し高い温度では比較的低い粘度を有する物質である。ローション組成物に組み込むことができる好適なワックスには、天然又は合成であってもよい、動物系、植物系、鉱物系、又はシリコーン系ワックス、及びこれらの混合物が挙げられる。ワックスには天然ワックスが挙げられ、ヤマモモワックス、蜜蝋、カンデリラろう、カルナウバ、セレシン、シアバター、ココアバター、日本ろう、ホホバワックス、ラノリンろう、アフリカハネガヤワックス、ミンクワックス、モンタンワックス、コメヌカワックス、ステリルジメチコン、果実由来ワックス、例えば、オレンジワックス、レモンワックス等の植物起源のもの；及び蜜蝋、ウールワックス、熊脂等の動物起源のものを挙げることができるが、これらに限定されない。天然ワックスは、セレシン及びオゾケライトワックス等のミネラルワックスを更に含む。合成ワックスには、以上で述べた特定の担体物質等の石油系ワックス、例えば、パラフィン、ワセリン、ペトロラタム、ミクロワックス、及びマイクロクリスタリンワックスが含まれる。更に好適な合成ワックスは、ポリアルキレン及びポリエチレングリコールワックス、例えば、ポリエチレンワックス；塩素化ナフタレンに基づくワックス、例えば、「ハロワックス（Halowax）」、合成炭化水素ワックス等；ＰＥＧ−６蜜蝋、ＰＥＧ−８蜜蝋、Ｃ３０アルキルジメチコン、合成蜜蝋、合成カンデリラろう、合成カルナバワックス、合成日本ろう、合成ホホバワックス、モタン酸ワックス、モタンワックス、オーリクリーロウ、レゾワックス、これらの混合物である。
【００４７】
その他のワックス構成要素は、特定の油脂（モノ−、ジ−及びトリグリセリド及び脂肪酸アルキルエステルなど）、脂肪アルコール、脂肪酸、例えば、置換脂肪酸（特に、ヒドロキシ置換脂肪酸、例えば、１２−ヒドロキシステアリン酸）、ジアルキル（エン）エーテル、ジアルキル（エン）カーボネート、ジカルボン酸（特に、ジカルボン酸のＣ１６〜Ｃ４０−ジアルキルエステル、例えば、Ｃ１６〜Ｃ４０−アルキルステアレート、Ｃ１８〜Ｃ３８−アルキルヒドロキシステアリルステアレート又はＣ２０〜Ｃ４０−アルキルエルケート）、及びヒドロキシ脂肪アルコールであることができる。更なるワックス構成要素は、芳香族カルボン酸、トリカルボン酸の群から、又は長鎖ヒドロキシ炭酸のラクチドの群から選択される。ミリスチルラクテートは好適な担体である。使用することができる更なるワックス構成要素は、Ｃ３０〜Ｃ５０アルキル蜜ろう；トリ−Ｃ１６〜Ｃ４０−クエン酸アルキル、例えばクエン酸トリステアリル、クエン酸トリイソステアリル、クエン酸トリラウリル；エチレングリコールジ脂肪酸エステル、特に、エチレングリコールジ−Ｃ１２〜Ｃ３０−脂肪酸エステル、例えば、エチレングリコールジパルミテート、エチレングリコールジステアレート、及びエチレングリコールジ（１２−ヒドロキシステアレート）である。
【００４８】
その他の好適な担体は、以上で述べた物質のいくつかを含む、固化剤として作用する物質を含む。本発明のローション組成物において好適な固化剤（単数又は複数）は、組成物が室温で固体であり、少なくとも３２℃の融点を有するように、組成物の固化を助ける働きをすることができる。固化剤はまた、着用者の皮膚への接着による転写を改善する粘着度を組成物に提供することができる。選択される固化剤に応じて、固化剤はまた、組成物が着用者の皮膚の上に実際に擦れて取れるのではなく、組成物が破砕する又は薄片になってはげるように、転写の状態を変更させることができ、この破砕する又は薄片になってはげることは、皮膚への改善された転写をもたらすことができる。固化剤は、更に、皮膚軟化剤、閉塞剤、保湿剤、バリアエンハンサー、粘度エンハンサー、及びこれらの組合せとして機能することができる。固化剤は、アルキルシロキサン、ポリマー、３５℃以上の融点を有する水素添加植物油、３５℃以上の融点を有する脂肪酸エステル、ヒドロキシステアリン酸アルキル、分岐エステル、アルコキシル化アルコール、及びアルコキシル化カルボン酸から選択され得る。更に、固化剤は、動物ワックス、植物ワックス、ミネラルワックス、及びアルキルシリコーンから選択され得る。好適な固化剤の実施例には、アルキルシリコーン、アルキルトリメチルシラン、蜜蝋、ベヘニルベヘネート、安息香酸ベヘニル、Ｃ２４〜Ｃ２８アルキルジメチコン、Ｃ３０アルキルジメチコン、セチルメチコン、ステアリルメチコン、セチルジメチコン、ステアリルジメチコン、セロチルジメチコン（cerotyl dimethicone）、カンデリラろう、カルナウバ、合成カルナウバ、ＰＥＧ−１２カルナウバ、ケラシン、水素添加マイクロクリスタリンワックス、ホホバワックス、マイクロクリスタリンワックス、ラノリンろう、オゾケライト、パラフィン、合成パラフィン、セチルエステル、ベヘニルベヘネート、Ｃ２０〜Ｃ４０アルキルベヘネート、Ｃ２〜Ｃ５ラクテート、セチルパルミテート、ステアリルパルミテート、イソステアリルベヘネート（isosteryl behenate）、ラウリルベヘネート、ステアリルベンゾエート、ベヘニルイソステアレート、セチルミリステート、セチルオクタノエート、セチルオレエート、セチルリシノレエート、セチルステアレート、デシルオレエート、フマル酸ジアルキル（Ｃ２〜Ｃ５）、フマル酸ジベヘニル、ミリスチルラクテート、ミリスチルリグノセレート、ミリスチルミリステート、ミリスチルステアレート、ラウリルステアレート、オクチルドデシルステアレート（octyidodecyl stearate）、ステアリン酸オクチルドデシルステアロリル（octyidodecyl stearoyl stearate）、オレイルアラキダート、オレイルステアレート、トリデシルベヘネート、トリデシルステアレート、トリデシルステアロイルステアレート、ペンタエリトリチルテトラベヘネート、水添ロジン酸ペンタエリトリチル（penteerythritylhydrogenated rosinate）、ジステアリン酸ペンタエリトリチル、ペンタエリトリチルテトラアベイト（pentaerythrityltetraabeite）、ペンタエリトリチルテトラココエート（penteerythrityl tetracocoate）、テトラパーアルゴン酸ペンタエリトリチル（penteerythrityl tetraperlargonate）、テトラステアリン酸ペンタエリトリチル（pentserythrityl tetrastearate）、エチレン酢酸ビニール、ポリエチレン、水素添加綿実油、水素添加植物油、水素添加スクアレン、水素添加ココナッツ油、水素添加ホホバ油、水素添加パーム油、水素添加パーム核油、水素添加オリーブ油、ポリアミド、ステアリン酸金属塩及びその他の金属せっけん、Ｃ３０〜Ｃ６０脂肪アルコール、Ｃ２０＋脂肪酸アミド、ポリプロピレン、ポリスチレン、ポリブタン、ポリブチレンテレフタレート、ポリジペンテン（polydipentane）、ポリプロピレン、ステアリン酸亜鉛、ドデシルラウレート、ステアリルパルミテート、ヘキサデカン酸オクタデシル（octadecyl hexedecanoate）、オクタデシルパルミテート、ステアリルベヘネート、ドコシルオクタノエート、テトラデシル−オクタデカニルベヘネート、ヘキサデシル−コサニルヘキサコサネート、セラックワックス、モンタン酸グリコール、フッ素化ワックス（fluoranated waxes）、Ｃ２０〜Ｃ４０アルキルヒドロキシステアリルステアレート、及びこのような化合物の混合物が挙げられるが、これらに限定されない。
【００４９】
本発明の吸収性物品は、任意に、吸収性物品によってもたらされる効果を内包するのを助ける精油物質を更に含み得る。このような精油物質は、ローション組成物とは別に吸収性物品の中に組み込まれることができ、又はローション組成物の一部をなすことができる。好適な精油物質の非限定的な実施例には、セキショウ、ローマカミツレ、タラゴン、バジル、ベルガモット、ウッドランドカラミント、ヒメウイキョウ、シーダー材、カモミール、シネオール、シナモン、桂皮、ダイダイ、クローブ、サイプレス、ディル、ユーカリ、オイゲノール、フランキンセンス、ガランゴル、ゼラニウム、ジンジャー、ハイビスカス、ホップ、ジャスミン、ジュニパー、ゲッケイジュ、ラベンダー、レモンバーム、レモングラス、レモン、リモネン、リナロール、酢酸リナリル、リッピアアルバ、マジョラム、メリッサ、ミルラ、ネロリ、ナツメグ、パシフローラ、パチョリ、ペパーミント、ピネン、ローズ、ローズウッド、ローズマリー、セージ、ビャクダン、スペアミン、スイートフェンネル、スイートオレンジ、ティーツリー、ゼドアリー（Zadoary）、タイム、バレリアン、イランイラン、ハイビスカス、又はこれらの混合物が挙げられる。覚醒に関連する好ましい精油には、サイプレス、ハイビスカス、ジュニパー、シネオール、シトラス、スイートオレンジ、及びローズマリーが挙げられる。調和効果に関連する好ましい油には、ラベンダー、ネロリ、及びイランイランが挙げられる。
【００５０】
上述のような本明細書の特定の精油は、ローション組成物の約０．０００１重量％〜約１０．０重量％、約０．０００１重量％〜約３．０重量％、約０．０００１重量％〜約０．１重量％、約０．００１重量％〜約１重量％、又は約０．０１重量％〜約１．０重量％の範囲の濃度で担体に混合され得る。精油はまた、本明細書の油材料にプレミックスで調製し得る。それでもなお、精油の最終濃度は上記の範囲内となる。
【００５１】
本発明の吸収性物品又はローション組成物は、ナイアシンアミド、酸化亜鉛、ヘキサミジン、パンテノール等、及びこれらの混合物のような補助的な皮膚トリートメント剤を更に含み得る。好適な皮膚トリートメント剤は米国特許公開第２００３／００８２２１９  Ａ１号で説明される。
【００５２】
本発明の吸収性物品又はローション組成物は更に冷却剤を含み得る。好適な冷却剤は、米国特許公開第２００４／００８１６８０  Ａ１号及び同第２００９／０２４０２２３  Ａ１号で説明される。
【００５３】
生理用ナプキン用トップシートの外表面に塗布されると、本発明のローション組成物は、通常の接触、着用者の動き、及び／又は体温によって着用者の皮膚に転写可能で、着用者の皮膚にω−６脂肪酸を供給し得る。
【００５４】
本発明の生理用ナプキン用トップシートは、有効量のローション組成物を有する。本明細書で使用するとき、用語「ローション組成物の有効量」は、生理用ナプキン用トップシートに塗布されると着用者の皮膚にω−６脂肪酸を転写させるのに有効である、特定のローション組成物の量を指す。ローション組成物の有効量は、大抵の場合、用いられる特定のローション組成物によって左右される。
【００５５】
本発明によるローション付き吸収性物品を調製する際、ローション組成物をトップシートの外表面（即ち、身体に向いた表面）に塗布することができるが、トップシートの内表面、又は吸収性物品の任意の他の構成要素に塗布することも可能である。ローション組成物を均一に分配する様々な塗布方法のいずれかを用いることができる。好適な方法としては、噴霧、印刷（例えば、フレキソ印刷）、コーティング（例えば、グラビアコーティング）、押出成形、又は、例えば、カレンダーロールのような回転表面上にローション組成物を噴霧し、次いでトップシートの外表面に組成物を転写させる等の、これらの塗布技術の組み合わせが挙げられる。
【００５６】
ローション組成物をトップシート、又は他の構成要素に塗布するやり方は、トップシートがローション組成物で飽和状態に達しないようなやり方である。トップシートがローション組成で飽和状態に達する場合、ローションがトップシート開口部を遮断して、トップシートが流体をその下にある吸収性コアに透過させる能力を減少させる可能性が大きい。また、トップシートの飽和は、ローションの治療的及び／又は保護的な有用性を得るために必要ではない。特に好適な塗布方法は、主にトップシートの外表面にローション組成物を塗布することである。
【００５７】
一般に、安全かつ有効な量のローション組成物が本明細書で説明する吸収性物品に施され、このような安全かつ有効な量は、約０．０５ｇ／ｍ２（０．０３２ｍｇ／インチ２）〜約１００ｇ／ｍ２（６４．５ｍｇ／インチ２）、好ましくは約０．５ｇ／ｍ２（０．３２ｍｇ／インチ２）〜約５０ｇ／ｍ２（３２．２ｍｇ／インチ２）、より好ましくは約１．０ｇ／ｍ２（０．６４５ｍｇ／インチ２）〜約３０ｇ／ｍ２（１９．３ｍｇ／インチ２）のローション組成物を吸収性物品のトップシートに塗布することを含む。
【００５８】
ローション組成物は、トップシートの表面全体又はその一部分に塗布されてもよい。ローション組成物は、使い捨て吸収性物品の長手方向中心線と整列させて、及び長手方向中心線を中心として塗布され得る。ローション組成物は、均一な又は不均一な幅を有する複数のストライプで塗布され得る。あるいは、ローションは、長手方向中心線の並置と整列させて、及び並置を中心として塗布され得る。
【００５９】
ローション組成物はまた、生理用ナプキン用トップシートの外表面に不均一に塗布され得る。「不均一」とは、ローション組成物の量、分配の模様等が、トップシート表面全体にわたって変化し得ることを意味する。例えば、トップシートの処理表面のある部分は、その上にローション組成物を含まない表面部分を含めて、多い又は少ない量のローション組成物を有することができる。例えば、ローション組成物をトップシートの１つの領域に、矩形及び／又は円形、及び／又は多数のドットの形状で塗布することができる。
【００６０】
ローション組成物は、組み立て中に、トップシート又はその他の構成要素の任意の場所に塗布され得る。例えば、ローション組成物は、包装される前に、最終吸収性製品のトップシートに塗布され得る。ローション組成物はまた、トップシートが他の原材料と組み合わされて使い捨て吸収性の最終製品を形成する前に、トップシートに塗布され得る。
【００６１】
ローション組成物は、典型的にはそれらの溶融物から吸収性物品のトップシートに塗布される。ローション組成物は、典型的には、周囲温度を著しく上回って融解するので、通常は加熱されたコーティングとして塗布される。典型的には、ローション組成物は、塗布される前に、約３５℃〜約１００℃、好ましくは４０℃〜約９０℃の範囲の温度まで加熱される。融解したローション組成物が塗布された時点で、このローション組成物を冷却及び固化させて、トップシート又は他の構成要素の表面上に固化したコーティング又は被膜を形成する。好ましくは、塗布プロセスは、ローションの冷却／配置を補助するように設計される。
【００６２】
本発明のローション組成物は当該技術分野において既知であるか、米国特許第５，９６８，０２５号で説明されるような、印刷方法又は連続噴霧又は押出成形により塗布することができる。
【００６３】
吸収性物品の長手方向軸に平行な複数のストライプ状にローションを塗布するのが好ましくあり得る。このことは、外陰部のより広範囲へのローションの転写、及び吸収性物品の流体処理の改善、の両方を可能とする。
【００６４】
別の実施形態では、吸収性物品のトップシートに塗布される代わりに（又はこれに加えて）、（例えば、米国特許第５，５６９，２３０号、同第６，９１１，０２２号、又は国際公開特許第０３／０５７１２２  Ａ１号で詳細に説明されるように）ローション組成物は吸収性物品に同梱される拭き取り物品に塗布し得る。別の実施形態では、ローション組成物は、（例えば、米国特許第５，９４８，４１６号で詳細に説明されるように）手で吸収性物品又は皮膚に塗布し得るクリーム製品の形状で独立製品として供給し得る。別の実施形態では、ローション組成物は、（例えば、米国特許第４，７０８，８１３号で詳細に説明されるように）吸収性物品の着用者によって吸収性物品又は皮膚上にスプレーし得るスプレー製品又はムース製品の形状で独立製品として供給し得る。
【００６５】
外陰皮膚の皮膚バリア機能を改善する方法
本発明は外陰皮膚の皮膚バリア機能を改善する方法を更に包含し、その方法は前記外陰皮膚に、身体に接する面と衣類に接する面とを含む吸収性物品を接触させる工程を含み、ω−６脂肪酸が前記吸収性物品の前記身体に接する面に配置される。皮膚バリア機能の改善は、改善された皮膚脂質組成、改善された皮膚保湿等で示され得る。
【００６６】
一般に、安全かつ有効な量のローション組成物が本明細書で説明する吸収性物品に施され、このような安全かつ有効な量は、約０．０５ｇ／ｍ２（０．０３２ｍｇ／インチ２）〜約１００ｇ／ｍ２（６４．５ｍｇ／インチ２）、好ましくは約０．５ｇ／ｍ２（０．３２ｍｇ／インチ２）〜約５０ｇ／ｍ２（３２．２ｍｇ／インチ２）、より好ましくは約１．０ｇ／ｍ２（０．６４５ｍｇ／インチ２）〜約３０ｇ／ｍ２（１９．３ｍｇ／インチ２）のローション組成物を吸収性物品のトップシートに塗布することを含む。
【００６７】
典型的には、少なくとも約０．０００５ｇ／ｍ２（０．０００３２ｍｇ／インチ２）〜約５０ｇ／ｍ２（３２．３ｍｇ／インチ２）、好ましくは約０．００２５ｇ／ｍ２（０．００１６ｍｇ／インチ２）〜約４０ｇ／ｍ２（２５．８ｍｇ／インチ２）、より好ましくは約０．００３５ｇ／ｍ２（０．００２２ｍｇ／インチ２）〜約２５ｇ／ｍ２（１６．１ｍｇ／インチ２）の組成物が、典型的には吸収性物品を一回につき約３時間使用する間に皮膚に転写されるように、安全かつ有効な量の本発明のローション組成物が吸収性物品に塗布される。吸収性物品は一般に、日中は３〜１０時間ごとに、及び夜間の防備に１度取り換えられるが、結果として少なくとも約０．００１ｇ／ｍ２（０．０００６４ｍｇ／インチ２）〜約４００ｇ／ｍ２（２１８ｍｇ／インチ２）、好ましくは約０．００１５ｇ／ｍ２（０．０００９６ｍｇ／インチ２）〜約４００ｇ／ｍ２（２１８ｍｇ／インチ２）、より好ましくは約０．００２ｇ／ｍ２（０．００１２８ｍｇ／インチ２）〜約４００ｇ／ｍ２（２１８ｍｇ／インチ２）の安全かつ有効な量のローション組成物が一日間（２４時間）以内に施される。しかしながら、安全かつ有効な量のローション組成物が本明細書で説明する皮膚トリートメントの効果をもたらすために施されるという条件のもとに、本明細書で説明する吸収性物品を介して本発明のローション組成物の着用者の皮膚上への転写は、一日、数日、数週間、数ヶ月、又は数年の間の適切な間隔で生じ得る。
【００６８】
任意の好適な方法を使用して、ローション組成物を含有する吸収性物品の使用中に着用者の皮膚に転写させる本明細書で説明するローション組成物の量を決定し得る。ローション組成物の転写量を計算する具体的な方法の実施例としては、生体内皮膚類似物質の分析を伴うガスクロマトグラフ分析手法、及び他の定量的分析手法が挙げられる。好適なガスクロマトグラフ手法は、１９９９年９月１６日公開の国際公開特許第９９／４５９７３号（Ｄｏｎａｌｄ  Ｃ．Ｒｏｅら）により詳細に説明される。
【００６９】
本発明は、外陰皮膚の皮膚バリア機能を改善するために、本明細書で説明されるようなω−６脂肪酸を含む吸収性物品の使用を更に包含する。
【００７０】
以下は本発明の非限定的な実施例である。
【実施例】
【００７１】
実施例Ｉ：下記の表１に例示した組成物は、本発明ローション組成物の担体系の代表例である。担体系は一般に、重量で、ペテロラタムとベヘニルアルコールのような脂肪アルコールとを組み合わせ、次いで低速プロペラミキサーを用いて攪拌しながら混合物を約７５℃の温度に加熱することにより調製する。次に、粘性剤又は増粘剤が存在する場合は、混合物に添加し、成分を最終担体系へと剪断混合する。好適な粘性剤又は増粘剤としては、ベヘネス−１０、フュームシリカ、ベントナイト、及びステアレス−２が挙げられ、その際粘性剤又は増粘剤は単独で又は組み合わせて用いる。これらの成分をイカウルトラツラックスシェアミキサー（ＩＫＡ  Ｕｌｔｒａ  Ｔｕｒｒａｘ  Ｓｈｅａｒ  Ｍｉｘｅｒ）で１１，０００回転／分（ｒｐｍ）で剪断混合することができる。
【００７２】
あるいは、ペテロラタム、脂肪アルコール、及び／又は粘性剤又は増粘剤が存在する場合は混ぜ合わせ、撹拌しながら７５℃に加熱して成分を融解させ、次いで５，０００ｒｐｍで動作する特殊機化ＴＫ  Ｒｏｂｏ  Ｍｉｃｓのような高速ブレードミキサーを用いて混合して最終担体系にすることができる。
【表１】
2013515589.tif 000003
重量％−重量パーセント
１−ペテロラタム、Ｓｏｎｎｅｂｏｒｎ  ＣｏｒｐｏｒａｔｉｏｎよりＰｒｏｔｏｐｅｔ（登録商標）１Ｓとして入手可能
２−ベヘニルアルコール、Ｃｏｇｎｉｓ  ＣｏｒｐｏｒａｔｉｏｎよりＬａｎｅｔｔｅ  ２２として入手可能
３−ベヘネス−１０、Ｃｏｇｎｉｓ  ＣｏｒｐｏｒａｔｉｏｎよりＭｅｒｇｉｔａｌ（登録商標）Ｂ１０として入手可能
４−フュームシリカ、Ｃａｂｏｔ  ＣｏｒｐｏｒａｔｉｏｎよりＣａｂｏｓｉｌ（登録商標）ＴＳ−７２０として入手可能
５−ポリプロピレングリコールＭＷ  ４，０００、ＢＡＳＦよりＰｌｕｒｉｏｌ  Ｐ４０００として入手可能
【００７３】
実施例ＩＩ−Ｘ：下記の表２に説明する次の実施例ＩＩ−Ｘは、表１に識別されている担体が含まれている本発明のローション組成物の代表例である。ローション組成物は、酸化亜鉛皮膚トリートメント剤が存在する場合、そのプレミックス溶液を配合し、表１で説明するように酸化亜鉛プレミックスを担体に加えて調製する。次に、ω−６脂肪酸及び他の皮膚トリートメント剤並びにパンテノール及びグリセリン等の任意の選択的な成分、又はヘキサミジンプレミックスの皮膚トリートメント溶液及びナイアシンアミド皮膚トリートメント剤及び任意の選択的な成分を配合することによって、担体に加えられ、表１で説明するようにローション組成物を生成し、上述のように、皮膚トリートメント溶液及び担体を撹拌しながら約７５℃に加熱する。任意選択の成分は、溶液が担体組成物の融点を超える限りにおいて溶液の冷却中である後の段階で加えられてもよい。全ての成分はローション組成物の重量に基づいて含まれる。
【表２】
2013515589.tif 000004
６−酸化亜鉛プレミックスは、Ｋｏｂｏ  Ｉｎｃｏｒｐｏｒａｔｉｏｎより入手可能なＵＬＴＲＡＦＩＮＥ  ３５０酸化亜鉛、Ｕｎｉｑｅｍａ  Ｉｎｃｏｒｐｏｒａｔｉｏｎより入手可能なアルラセル（Arlecel）（登録商標）Ｐ１００、及びＩｋｅｄａ  Ｉｎｃｏｒｐｏｒａｔｉｏｎより入手可能なＳａｌａｃｏｓ（登録商標）９９の入った７０％酸化亜鉛混合物からなる。  
７−Ｋｏｂｏ  Ｉｎｃｏｒｐｏｒａｔｉｏｎより入手可能なヘキサミジンのプレミックスは、Ｌａｂｏｒａｔｏｒｉｅｓ  Ｓｅｒｏｌｏｂｉｏｌｏｇｉｑｕｅｓより商品名ＥＬＡＳＴＡＢ  ＨＰ１００のヘキサミジンジイセチオネートの３３％、Ｕｎｉｑｅｍａ  Ｉｎｃｏｒｐｏｒａｔｉｏｎより入手可能なアルラセル（Arlecel）（登録商標）Ｐ１００、及びＩｋｅｄａ  ｎｃｏｒｐｏｒａｔｉｏｎより入手可能なＳａｌａｃｏｓ（登録商標）９９からなる。  
８−パンテノール、ＤＳＭ  ＮｕｔｒｉｔｉｏｎａｌよりＤ−パンテノールとして入手可能
９−グリセリン、Ｐｒｏｃｔｅｒ  ＆  Ｇａｍｂｌｅ  ＣｏｍｐａｎｙよりＧｌｙｃｅｒｉｎ、ＵＳＰ  Ｋｏｓｈｅｒ（登録商標）として入手可能
１０−ナイアシンアミド、ＤＳＭ  Ｎｕｔｒｉｔｉｏｎａｌより入手可能
１１−酸性化ナイアシンアミド、ナイアシンアミドとステアリン酸の反応により生成する
１２−カモミール、ＳｙｍｒｉｓｅよりＰｈｙｔｏｃｏｎｃｅｎｔｒｏｌ  Ｃｈａｍｏｍｉｌｅとして入手可能
１３−シルクプロテイン、Ｃｒｏｄａ，Ｉｎｃ．（Ｐａｒｓｉｐｐａｎｙ、ＮＪ）よりＣＲＯＳＩＬＫ（登録商標）として入手可能
１４−植物油とトケイソウ種子油との混合物、Ａａｒｈｕｓ  Ｋａｒｌｓｈａｍｎより市販
１５−植物油とアマナズナ種子油との混合物、Ａａｒｈｕｓ  Ｋａｒｌｓｈａｍｎより市販
１６−ＣａｒｇｉｌｌよりＣｌｅａｒ  Ｖａｌｌｅｙ（登録商標）７５  Ｈｉｇｈ  Ｏｌｅｉｃ  Ｃａｎｏｌａ  Ｏｉｌとして入手可能
【００７４】
続いて、実施例ＩＩのローション組成物を、生理用ナプキンのＤＲＩ−ＷＥＡＶＥトップシートの着用者接触面全体に塗布する。安全かつ有効な量のローション組成物を皮膚上に送達するために、約４．０ｇ／ｍ２（２．６ｍｇ／インチ２）のローション組成物を、約９０℃のヘッド作動温度を有するＭｅｌｔｅｘ  ＥＰ４５ホットメルト塗布器を用いてトップシートに塗布する。
【００７５】
続いて、実施例ＩＩＩのローション組成物を、パンティーライナー製品の親水性スパンボンドバイコンポーネントポリエチレン／ポリプロピレントップシート（ＢＢＡ（Ｗａｓｈｏｕｇａｌ、ＷＡ））の着用者接触面に塗布する。安全かつ有効な量のローション組成物を皮膚上に送達するために、ローション組成物を、直径が少なくとも約５ｍｍの円のパターンで、約１２ｇ／ｍ２（７．７ｍｇ／インチ２）の組成物塗布量でトップシートに塗布する。ローション組成物は、約９０℃のヘッド作動温度及び約１６キロパスカル（ＫＰａ）の噴霧圧力を有する、ホットメルト空気圧式Ｄｙｎａｔｅｃ  Ｅ８４Ｂ１７５８噴霧ヘッドを用いてトップシートに塗布する。
【００７６】
続いて、実施例ＩＶのローション組成物を、生理用ナプキン製品の疎水性スパンボンドバイコンポーネントポリエチレン／ポリプロピレントップシート（ＢＢＡ（Ｗａｓｈｏｕｇａｌ，ＷＡ））の着用者接触面上に、組成物をストライプ形状でスロットコーティング（ノードソン（Nordsen）ＥＰ  １１−１２−０２）することにより塗布する。安全かつ有効量のローション組成物を皮膚上に送達するために、ローション組成物を、それぞれ５ミリメートル（ｍｍ）幅×１６０ｍｍ長さの少なくとも６本のストライプを含み、約５．０ｇ／ｍ２（３．２ｍｇ／インチ２）の組成物塗布量を有するストライプ構成でトップシートに塗布する。
【００７７】
続いて、実施例Ｖのローション組成物を、生理用ナプキン製品の疎水性スパンボンドバイコンポーネントポリエチレン／ポリプロピレントップシート（ＢＢＡ（Ｗａｓｈｏｕｇａｌ，ＷＡ））の着用者接触面上に、組成物をストライプ形状にスロットコーティング（ノードソン（Nordsen）ＥＰ  １１−１２−０２）することにより塗布する。安全かつ有効量のローション組成物を皮膚上に送達するために、ローション組成物を、それぞれ１０ミリメートル（ｍｍ）幅×少なくとも１２０ｍｍ長さの少なくとも２本のストライプ、それぞれ５ミリメートル（ｍｍ）幅×少なくとも１２０ｍｍ長さの少なくとも３本のストライプを含み、約１５．０ｇ／ｍ２（４．８ｍｇ／インチ２）の組成物塗布量を有するストライプ構成でトップシートに塗布する。
【００７８】
続いて、実施例ＶＩのローション組成物を、パンティーライナー製品のＤＲＩ−ＷＥＡＶＥトップシートの着用者接触面にストライプ形状に噴霧して塗布する。安全かつ有効量のローション組成物を皮膚上に送達するために、ローション組成物を、それぞれ４ミリメートル（ｍｍ）幅×少なくとも４０ｍｍ長さの少なくとも２本のストライプを含み、約１．０ｍｇ／ｃｍ２（０．６５ｍｇ／インチ２）の組成物塗布量を有するストライプ構成でトップシートに塗布する。ローション組成物は、約９０℃のヘッド作動温度及び約１６キロパスカル（ＫＰａ）の噴霧圧力を有する、ホットメルト空気圧式Ｄｙｎａｔｅｃ  Ｅ８４Ｂ１７５８噴霧ヘッドを用いてトップシートに塗布する。
【００７９】
続いて、実施例ＶＩＩのローション組成物を、Ｐｒｏｃｔｅｒ  ＆  Ｇａｍｂｌｅ  Ｃｏｍｐａｎｙ製造のＮａｔｕｒｅｌｌａ等の生理用ナプキン製品の疎水性スパンボンドバイコンポーネントポリエチレン／ポリプロピレントップシート（ＢＢＡ（Ｗａｓｈｏｕｇａｌ，ＷＡ））上に、組成物を噴霧して塗布する。安全かつ有効量のローション組成物を皮膚上に送達するために、ローション組成物を、直径が少なくとも約２ｍｍのドットパターンで、約０．３ｇ／ｍ２（０．１９４ｍｇ／インチ２）の組成物塗布量でトップシートに塗布する。ローション組成物は、約９０℃のヘッド作動温度及び約１６キロパスカル（ＫＰａ）の噴霧圧力を有する、ホットメルト空気圧式Ｄｙｎａｔｅｃ  Ｅ８４Ｂ１７５８噴霧ヘッドを用いてトップシートに塗布する。
【００８０】
続いて、実施例ＶＩＩのローション組成物を、パンティーライナー製品のＤＲＩ−ＷＥＡＶＥトップシートの着用者接触面全体に塗布する。安全かつ有効な量のローション組成物を皮膚上に送達するために、約０．５ｇ／ｃｍ２（０．３２ｍｇ／インチ２）のローション組成物を、約９０℃のヘッド作動温度を有するＭｅｌｔｅｘ  ＥＰ４５ホットメルト塗布器を用いてトップシートに塗布する。
【００８１】
続いて、実施例ＩＸのローション組成物を、生理用ナプキンのＤＲＩ−ＷＥＡＶＥトップシートの着用者接触面に塗布する。安全かつ有効量のローション組成物を皮膚上に送達するために、ローション組成物を、それぞれ２０ミリメートル（ｍｍ）幅×１００ｍｍ長さの少なくとも２本のストライプを含み、約４０ｇ／ｍ２（２５．８ｍｇ／インチ２）の組成物塗布量を有するストライプ構成でトップシートに塗布する。ローション組成物は、約９０℃のヘッド作動温度及び約１６キロパスカル（ＫＰａ）の噴霧圧力を有する、ホットメルト空気圧式Ｄｙｎａｔｅｃ  Ｅ８４Ｂ１７５８噴霧ヘッドを用いてトップシートに塗布する。
【００８２】
続いて、実施例Ｘのローション組成物を、パンティーライナー製品の親水性スパンボンドバイコンポーネントポリエチレン／ポリプロピレントップシート（ＢＢＡ（Ｗａｓｈｏｕｇａｌ、ＷＡ））の着用者接触面上に、組成物をストライプ形状にスロットコーティング（ノードソン（Nordsen）ＥＰ  １１−１２−０２））することにより塗布する。安全かつ有効量のローション組成物を皮膚上に送達するために、ローション組成物を、それぞれ３ミリメートル（ｍｍ）幅×１２０ｍｍ長さの少なくとも４本のストライプを含み、約６０ｇ／ｍ２（３８．７ｍｇ／インチ２）の組成物塗布量を有するストライプ構成でトップシートに塗布する。
【００８３】
本明細書に開示される寸法及び値は、列挙された正確な数値に厳しく制限されるものとして理解されるべきでない。それよりむしろ、特に指定されない限り、それぞれのそのような寸法は、列挙された値とその値周辺の機能的に同等の範囲との両方を意味することを意図する。例えば、「４０ｍｍ」として開示された寸法は、「約４０ｍｍ」を意味することを意図する。
【００８４】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【００８５】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の「特許請求の範囲」で扱うものとする。
2013515589.tif 000005
【国際調査報告】
2013515589.tif 000006
2013515589.tif 000007
2013515589.tif 000008
2013515589.tif 000009
2013515589.tif 000010